(57)【要約】【課題】破壊する以外に取り外すことができないように締結でき、しかも、それをネジ締結のための回転操作をするだけで実現することができて取付けが容易な、防犯性能等に優れたネジ締結部におけるロック構造を提供する。【解決手段】ボルト頭部３ａの内面側の軸部の周囲に環状の一方向ラチェット歯５が形成され、ボルト軸部３ｂが螺合されるネジ孔６の周囲であってボルト頭部３ａの内面部と対面する面部に環状の一方向ラチェット歯６ａが形成され、ボルト頭部３ａとネジ孔６の周囲面部との間にリング状爪部品４がボルト軸３ｂを通して介設され、ボルト頭部３ａが締め付けられリング状爪部品４の爪部４ａ，４ｂが両ラチェット歯５，７に係合し、弛緩方向へのボルト頭部３ａの回転がロックされるようになされている。【選択図】      図１
2006283889.tif 000002
【特許請求の範囲】
【請求項１】
ボルト頭部の内面側の軸部の周囲に、円周方向に垂直面と斜面を繰り返す環状の一方向ラチェット歯が形成されると共に、
ボルト軸部が螺合されるネジ孔の周囲であってボルト頭部の内面部と対面する面部に、同じく円周方向に垂直面と斜面を繰り返す環状の一方向ラチェット歯が形成され、
ボルト頭部とネジ孔周囲面部との間に、爪部を備えたリング状爪部品がボルト軸を通して介設され、ボルト頭部が締め付けられて、リング状爪部品の爪部が、ボルト頭部側の一方向ラチェット歯と、ネジ孔側の一方向ラチェット歯とに係合し、弛緩方向へのボルト頭部の回転がロックされるようになされていることを特徴とするネジ締結部におけるロック構造。
【請求項２】
ナットの一方の端面部のネジ孔の周囲に、円周方向に垂直面と斜面を繰り返す環状の一方向ラチェット歯が形成されると共に、
ボルト軸部が通される通孔の周囲であってナットの前記端面部と対面する面部に、同じく円周方向に垂直面と斜面を繰り返す環状の一方向ラチェット歯が形成され、
ナットと通孔周囲面部との間に、爪部を備えたリング状爪部品がボルト軸を通して介設され、ナットが締め付けられて、リング状爪部品の爪部が、ナット側の一方向ラチェット歯と、通孔側の一方向ラチェット歯とに係合し、弛緩方向へのナットの回転がロックされるようになされていることを特徴とするネジ締結部におけるロック構造。
【発明の詳細な説明】
【技術分野】
【０００１】
本発明は、ネジ締結部におけるロック構造に関する。
【背景技術】
【０００２】
防犯等の目的で、ネジ締結部に弛緩困難なロック機構を採用するものが、ロックボルトなどと称して、従来より、いくつか提供されている。
【０００３】
しかしながら、従来のロック機構は、ボルト頭部を特殊な工具を用いて回転させて弛緩させることができるようになされており、そのような特殊工具さえあれば、ボルトを緩めることができ、また、特殊工具を用いなくともペンチでボルト頭部を無理矢理掴んで回せば、緩めることができるものが多く、防犯上、必ずしも万全なものとはいえない。
【発明の開示】
【発明が解決しようとする課題】
【０００４】
本発明は、上記のような背景において、破壊する以外に取り外すことができないように締結でき、しかも、それをネジ締結のための回転操作をするだけで実現することができて取付けが容易な、防犯性能等に優れたネジ締結部におけるロック構造を提供することを課題とする。
【課題を解決するための手段】
【０００５】
上記の課題は、ボルト頭部の内面側の軸部の周囲に、円周方向に垂直面と斜面を繰り返す環状の一方向ラチェット歯が形成されると共に、
ボルト軸部が螺合されるネジ孔の周囲であってボルト頭部の内面部と対面する面部に、同じく円周方向に垂直面と斜面を繰り返す環状の一方向ラチェット歯が形成され、
ボルト頭部とネジ孔周囲面部との間に、爪部を備えたリング状爪部品がボルト軸を通して介設され、ボルト頭部が締め付けられて、リング状爪部品の爪部が、ボルト頭部側の一方向ラチェット歯と、ネジ孔側の一方向ラチェット歯とに係合し、弛緩方向へのボルト頭部の回転がロックされるようになされていることを特徴とするネジ締結部におけるロック構造（第１発明）によって解決される。
【０００６】
このロック構造では、ボルト頭部を回して弛緩させようとすると、リング状爪部品の爪部が、ボルト頭部側の一方向ラチェット歯と、ネジ孔側の一方向ラチェット歯とに係合し、ボルト頭部を回転させることができない。また、各ラチェット歯、及び、リング状爪部品は、ボルト頭部とネジ孔側の面部との間に存在しているので、外から操作してそれらの係合状態を解除するということもできない。従って、破壊する以外にボルトを取り外すことができず、高い防犯性能等を発揮することができる。
【０００７】
しかも、ボルト頭部を回転させて締結状態にするだけでそのようなロック状態を形成することができて、取付けが容易である。
【０００８】
また、上記の課題は、ナットの一方の端面部のネジ孔の周囲に、円周方向に垂直面と斜面を繰り返す環状の一方向ラチェット歯が形成されると共に、
ボルト軸部が通される通孔の周囲であってナットの前記端面部と対面する面部に、同じく円周方向に垂直面と斜面を繰り返す環状の一方向ラチェット歯が形成され、
ナットと通孔周囲面部との間に、爪部を備えたリング状爪部品がボルト軸を通して介設され、ナットが締め付けられて、リング状爪部品の爪部が、ナット側の一方向ラチェット歯と、通孔側の一方向ラチェット歯とに係合し、弛緩方向へのナットの回転がロックされるようになされていることを特徴とするネジ締結部におけるロック構造（第２発明）によって解決される。
【０００９】
このロック構造においても、ナットを回して弛緩させようとすると、リング状爪部品の爪部が、ナットの一方向ラチェット歯と、ボルト通孔側の一方向ラチェット歯とに係合し、ナットを回転させることができない。また、各ラチェット歯、及び、リング状爪部品は、ナットと通孔側の面部との間に存在しているので、外から操作してそれらの係合状態を解除するということもできない。従って、破壊する以外にナットを取り外すことができず、高い防犯性能等を発揮することができる。
【００１０】
しかも、ナットを回転させて締結状態にするだけでそのようなロック状態を形成することができて、取付けが容易である。
【発明の効果】
【００１１】
本発明は、以上のとおりのものであるから、破壊する以外に取り外すことができないように締結でき、しかも、それをネジ締結のための回転操作をするだけで実現することができて取付けが容易である。
【発明を実施するための最良の形態】
【００１２】
次に、本発明の実施最良形態を図面に基づいて説明する。
【００１３】
図１に示す第１実施形態は、ボルト頭部側についてのロック構造に関するもので、１は取り付けようとする部材としてのプレート、２は取付けの下地、３はボルト、４はリング状爪部品である。
【００１４】
ボルト３は、ボルト頭部３ａの内面側の軸部３ｂの周囲の面内に環状溝３ｃが設けられ、該溝３ｃの底面部に、円周方向に垂直面５ａと斜面５ｂを繰り返す環状の一方向ラチェット歯５が形成されている。
【００１５】
また、取付けの下地２には、ボルト軸部３ｂが螺合されるネジ孔６の周囲であってボルト頭部３ａの内面部と対面する面部に環状溝６ａが設けられ、該溝６ａの底面部に、同じく、円周方向に垂直面７ａと斜面７ｂを繰り返す環状の一方向ラチェット歯７が形成されている。なお、取付け用下地２のネジ孔６は、該下地２にナット８を埋込み状態にして一体化することにより形成されている。
【００１６】
リング状爪部品４は、螺旋状のスプリングワッシャーからなり、一方の端部４ａをボルト頭部３ａ側の一方向ラチェット歯５に係合させる爪部とし、もう一方の端部４ｂをネジ孔６側の一方向ラチェット歯７に係合させる爪部としており、その平面サイズは、各環状溝３ｃ，６ａの外周サイズと同等かそれよりも小さいサイズに設定されており、また、高さ寸法も、図１（ハ）に示すように、ボルト３を締めた状態で、ボルト頭部３ａ側の環状溝３ｃとネジ孔６側の環状溝６ａとの間の形成される空間部内に収まるように設定されている。
【００１７】
プレート１の取付けは、プレート１を下地２に沿わせるようにして、プレート１の通孔１ａと下地２のネジ孔６とを同心状態にし、そして、下地２側の環状溝６ａ内にリング状爪部品４をセットし、ボルト３の軸部３ｂをネジ孔６と螺合させ、ボルト３を回転させていき、最後に締付けを行えば、リング状爪部品４の両端爪部４ａ，４ｂがボルト頭部３ａの一方向ラチェット歯５とネジ孔６側の一方向ラチェット歯７とに押し付けられた状態になり、ロック状態が形成される。
【００１８】
こうして形成されたロック構造では、ボルト頭部３ａを回して弛緩させようとすると、リング状爪部品４の各爪部４ａ，４ｂが、ボルト頭部側の一方向ラチェット歯５と、ネジ孔６側の一方向ラチェット歯７とに係合し、ボルト頭部３ａを回転させることができない。
【００１９】
特に、本実施形態では、リング状爪部品４が、ボルト頭部３ａ側の環状溝３ｃ内と、ネジ孔６側の環状溝６ａ内とに収められるようになされているので、ボルト頭部３ａを回して弛緩させようとすると、リング状爪部品４が開こうとするが、それを環状溝３ｃ，６ａ内の周壁が阻止し、ボルト頭部３ａの回転が確実に阻止される。
【００２０】
また、各ラチェット歯５，７、及び、リング状爪部品４は、ボルト頭部３ａとネジ孔６側の面部との間に存在しているので、外から操作してそれらの係合状態を解除するということもできない。
【００２１】
特に、本実施形態では、リング状爪部品４が、ボルト頭部３ａ側の環状溝３ｃ内と、ネジ孔６側の環状溝６ａ内とで形成される閉鎖空間部内に収められるので、外からリング状爪部品４にアクセスすることさえできない。
【００２２】
こうして、破壊する以外にボルト３を取り外すことができず、高い防犯性能等を発揮することができる。しかも、上記のように、ボルト頭部３ａを回転させて締結状態にするだけでそのようなロック状態を形成することができて、ボルト３の取付けが容易である。
【００２３】
図２及び図３に示す第２実施形態は、ナット側についてのロック構造に関するもので、取付け下地２と、取付けようとする部材１にはそれぞれ、ボルト３を通す通孔１ａ，２ａが設けられている。
【００２４】
そして、ナット９の端面部には、ネジ孔９ａの周囲に、環状溝９ｂが設けられ、該溝９ｂの底面部に、円周方向に垂直面１０ａと斜面１０ｂを繰り返す環状の一方向ラチェット歯１０が形成されている。
【００２５】
また、取付け用とする部材１の通孔１ａの周囲であってナット９の前記端面部と対面する面部に、同じく環状溝１ｂが設けられ、該溝１ｂの底面部に、円周方向に垂直面１１ａと斜面１１ｂを繰り返す環状の一方向ラチェット歯１１が形成されている。なお、取付けようとする部材１の通孔１ａは、該部材１に金具１２を埋込み状態にして一体化することにより形成されており、通孔１ａの周囲の環状溝１ｂや一方向ラチェット歯１１も金具１２に設けられている。
【００２６】
部材１の取付けは、部材１を下地２に沿わせるようにして、部材１の通孔１ａと下地２の通孔２ａとを同心状態にし、そして、背後からボルト３の軸部３ｂを通し、正面側から部材１側の環状溝１ｂ内にリング状爪部品４をセットし、ボルト３の軸部３ｂにナット９を螺合させ、ナット９を回転させていき、最後に締付けを行えば、リング状爪部品４の両端爪部４ａ，４ｂがナット９の一方向ラチェット歯１０と部材１の一方向ラチェット歯１１とに押し付けられた状態となり、ロック状態が形成される。なお、ボルト３は予め下地２に一体化されていてもよい。
【００２７】
こうして形成されたロック構造では、ナット９を回して弛緩させようとすると、リング状爪部品４の各爪部４ａ，４ｂが、部材１側の一方向ラチェット歯１１と、ナット９側の一方向ラチェット歯１０とに係合し、ナット９を回転させることができず、各部が、第１実施形態の場合と同様の作用を行い、破壊する以外にナット９を取り外すことができず、高い防犯性能等を発揮することができる。しかも、上記のように、ナット９を回転させて締結状態にするだけでそのようなロック状態を形成することができて、ナット９の取付けが容易である。
【００２８】
以上に、本発明の実施形態を示したが、本発明はこれに限られるものではなく、発明思想を逸脱しない範囲で各種の変更が可能である。例えば、第１発明では、下地側のネジ孔が、通孔部を通じてその奥方にネジ孔部を備えているものであってもよく、具体的には、下地が通孔の設けられた例えばプレート状のもので、下地の背後にナットが配置され、そのナットをボルトの締結されるネジ孔部とし、下地の通孔の周囲に環状溝と一方向ラチェット歯とが設けられている構造なども含んでいる。
【００２９】
また、上記の各実施形態では、環状溝の底面部に一方向ラチェット歯を形成した場合を示しているが、対面する一方のみを環状溝とし、もう一方を環状溝なしとするようにしてもよいし、いずれも環状溝なしで一方向ラチェット歯が形成されていてもよい。
【００３０】
更に、上記の実施形態では、リング状爪部品として、両端を爪部とするスプリングワッシャーを用いた場合を示したが、これに限らず、その他の非ループ形の爪付きリング状爪部品が用いられてもよいし、ループ形のリング状爪部品が用いられてもよく、爪の備えられ形についても様々であってよい。また、本発明のロック構造の用途は、防犯に限らず、緩止めであってもよい。
【図面の簡単な説明】
【００３１】
【図１】第１実施形態のネジ締結部におけるロック構造を示すもので、図（イ）は一部切欠き分解斜視図、図（ロ）は締結前段階の断面正面図、図（ハ）は締結後の断面正面図である。
【図２】第２実施形態のネジ締結部におけるロック構造を示す一部切欠き分解斜視図である。
【図３】同第２実施形態についてのもので、図（イ）は締結前段階の断面正面図、図（ハ）は締結後の断面正面図である。
【符号の説明】
【００３２】
１ａ…通孔
３…ボルト
３ａ…ボルト頭部
３ｂ…ボルト軸部
４…リング状爪部品
５…一方向ラチェット歯
６…ネジ孔
７…一方向ラチェット歯
９…ナット
９ａ…ネジ孔
１０…一方向ラチェット歯
１１…一方向ラチェット歯
【図１】
2006283889.tif 000003
【図２】
2006283889.tif 000004
【図３】
2006283889.tif 000005